(57)【特許請求の範囲】
【請求項１】
セルフォワードアクセスチャネル（ＣＥＬＬ＿ＦＡＣＨ）状態およびＩＤＬＥモードにおいてリソースを割り当てるための、無線送受信装置（ＷＴＲＵ）により実行される方法であって、
拡張個別チャネル（Ｅ−ＤＣＨ）アクセスパラメータのセットを含むシステム情報ブロック（ＳＩＢ）を受信するステップと、
シグネチャ系列を使用してランダムアクセスチャネル（ＲＡＣＨ）プリアンブルを送信するステップと、
前記ＲＡＣＨプリアンブルに応答して取得インジケータを受信するステップと、
前記シグネチャ系列に関連するシグネチャ系列インデックスに基いてＥ−ＤＣＨリソースを決定するステップと、
前記Ｅ−ＤＣＨリソースと、前記Ｅ−ＤＣＨアクセスパラメータのセットとを使用してＥ−ＤＣＨ送信用に前記ＷＴＲＵを構成するステップと
を備える方法。
【請求項２】
前記取得インジケータは取得インジケータチャネル（ＡＩＣＨ）で受信される請求項１に記載の方法。
【請求項３】
前記ＳＩＢは前記ＲＡＣＨプリアンブルを送信する前に受信される請求項１に記載の方法。
【請求項４】
Ｅ−ＤＣＨを介してＲＡＣＨメッセージを送信するステップをさらに含む請求項１に記載の方法。
【請求項５】
前記Ｅ−ＤＣＨアクセスパラメータのセットはＥ−ＤＣＨハイブリッド自動再送要求（ＨＡＲＱ）インジケータチャネル（Ｅ−ＨＩＣＨ）シグネチャを含む請求項１に記載の方法。
【請求項６】
前記Ｅ−ＤＣＨアクセスパラメータのセットはＥ−ＤＣＨ絶対グラントチャネル（Ｅ−ＡＧＣＨ）シグネチャを含む請求項１に記載の方法。
【請求項７】
前記ＳＩＢはブロードキャストチャネルを介して受信される請求項１に記載の方法。
【請求項８】
セルフォワードアクセスチャネル（ＣＥＬＬ＿ＦＡＣＨ）状態およびＩＤＬＥモードにおいてリソースを割り当てるための無線送受信装置（ＷＴＲＵ）であって、
拡張個別チャネル（Ｅ−ＤＣＨ）アクセスパラメータのセットを含むシステム情報ブロック（ＳＩＢ）を受信するために構成された受信機と、
シグネチャ系列を使用してランダムアクセスチャネル（ＲＡＣＨ）プリアンブルを送信するために構成された送信機と
を備え、
前記受信機は前記ＲＡＣＨプリアンブルに応答して取得インジケータを受信するためにさらに構成され、
前記シグネチャ系列に関連するシグネチャ系列インデックスに基いてＥ−ＤＣＨリソースを決定するために構成されたコントローラを備え、
前記コントローラは、前記Ｅ−ＤＣＨリソースと、前記Ｅ−ＤＣＨアクセスパラメータのセットとを使用してＥ−ＤＣＨ送信用に前記ＷＴＲＵを構成するためにさらに構成されたＷＴＲＵ。
【請求項９】
前記取得インジケータは取得インジケータチャネル（ＡＩＣＨ）で受信される請求項８に記載のＷＴＲＵ。
【請求項１０】
前記ＳＩＢは前記ＲＡＣＨプリアンブルを送信する前に受信される請求項８に記載のＷＴＲＵ。
【請求項１１】
前記送信機はＥ−ＤＣＨを介してＲＡＣＨメッセージを送信するためにさらに構成される請求項８に記載のＷＴＲＵ。
【請求項１２】
前記Ｅ−ＤＣＨアクセスパラメータのセットはＥ−ＤＣＨハイブリッド自動再送要求（ＨＡＲＱ）インジケータチャネル（Ｅ−ＨＩＣＨ）シグネチャを含む請求項８に記載のＷＴＲＵ。
【請求項１３】
前記Ｅ−ＤＣＨアクセスパラメータのセットはＥ−ＤＣＨ絶対グラントチャネル（Ｅ−ＡＧＣＨ）シグネチャを含む請求項８に記載のＷＴＲＵ。
【請求項１４】
前記ＳＩＢはブロードキャストチャネルを介して受信される請求項８に記載のＷＴＲＵ。
【発明の詳細な説明】
【技術分野】
【０００１】
本出願は、無線通信に関する。
【背景技術】
【０００２】
多くのセルラ通信システムでは、無線リソースへのアクセスは、無線ネットワークによって制御される。ＷＴＲＵ（無線送受信装置）は、ネットワークに送信するデータを有するとき、そのデータペイロードを送信する前に無線リソースアクセスを取得する。たとえば、第三世代パートナーシッププロジェクト（３ＧＰＰ）ネットワークでこれを達成するには、ＷＴＲＵは、ＲＡＣＨ（ランダムアクセスチャネル）へのアクセスを取得しなければならない。ＲＡＣＨへのアクセスは競合を引き起こすものであり、衝突、すなわち２つのＷＴＲＵが同時にリソースにアクセスする確率を減少させる機構が存在する。
【０００３】
ランダムアクセスのための手順は、電力ランプアップを伴うプリアンブルフェーズを含み、チャネル取得情報およびメッセージ送信がその後に続く。ＲＡＣＨは競合を引き起こす性質のものなので、共有の無線リソースをＷＴＲＵが長い間保持しないようにするために、また電力制御が行われないという理由により、比較的短いメッセージペイロードがＲＡＣＨ上で送信されて、データレートが比較的小さくなる。したがって、ＲＡＣＨは一般に、短い制御メッセージの送信に使用される。一般に、より大きいデータレートを求めるＷＴＲＵは、ネットワークによって、個別のリソースを使用するように構成される。
【０００４】
ＲＡＣＨによって提供されるデータレートは、主として音声通信をサポートするネットワークに典型的な短い制御メッセージを送信するには十分であるが、インターネットブラウジング、電子メールなど、非リアルタイムのデータサービスに関連するデータメッセージを送信するには不十分である。これらのデータサービスでは、トラフィックはバースト的な性質のものであり、連続した送信の間に、長い非活動時間が存在することがある。たとえば、キープアライブメッセージを頻繁に送信することを必要とするいくつかの応用例では、これによって、個別リソースが非効率的に使用されることになり得る。したがって、ネットワークが、そうではなくデータ送信のために共有リソースを使用することが有利であり得る。しかし、問題は、既存のＲＡＣＨによって提供される低いデータレートにある。
【０００５】
図１は、従来技術によるＥ−ＤＣＨ（拡張個別チャネル）１００を用いたＲＡＣＨアクセスを示している。Ｅ−ＤＣＨ  １００を用いたＲＡＣＨアクセス、以下「Ｅ−ＲＡＣＨ」は、ＲＡＣＨプリアンブルフェーズ１０２と、初期リソース割当て１０４と、衝突検出／解決１０６と、Ｅ−ＲＡＣＨメッセージ部１０８と、リリースの解放１１０または他の状態への遷移とを含むことができる。Ｅ−ＲＡＣＨ上でＥ−ＤＣＨを効率的に使用するための１組の機構を有することが望ましい。
【発明の概要】
【課題を解決するための手段】
【０００６】
Ｅ−ＲＡＣＨを介した高速伝送のための方法および装置が開示される。これは、ＷＴＲＵがシグネチャ系列を送信するステップと、シグネチャ系列に応答して肯定応答信号を受け取るステップと、デフォルトのリソースインデックスを決定するステップとを含むことができる。リソースインデックスは、Ｅ−ＤＣＨ（拡張個別チャネル）パラメータに関連付けることができる。ＷＴＲＵは、シグネチャ系列およびスクランブリングコードインデックスに基づいて、リソースパラメータのセットにインデックスを付けることもできる。
【０００７】
ＷＴＲＵにリソースを割り当てるための方法および装置も開示される。これは、ＷＴＲＵがブロードキャストチャネルを介して、リソースのリストを受け取るステップを含むことができ、リソースのリストはリソース割当てテーブルを含む。
【０００８】
ＷＴＲＵは、割当てメッセージを受け取ることもできる。割当てメッセージは、リソース割当て構成のサブセットを含んでよい。ＷＴＲＵは、ブロードキャストチャネル内のリソース割当て構成のバランスを受け取ることもできる。
【図面の簡単な説明】
【０００９】
本発明についてのより詳細な理解は、例示するために示されており、添付の図面と併せて理解される以下の説明から得ることができる。
【００１０】
【図１】従来技術によるＥ−ＤＣＨを用いたＲＡＣＨアクセスを示す図である。
【図２】一実施形態による、複数のＷＴＲＵ（無線送受信装置）と基地局とを含む例示的な無線通信システムを示す図である。
【図３】一実施形態による、図２のＷＴＲＵおよび基地局の機能ブロック図である。
【図４】一実施形態による、ＲＡＣＨ方法を示すフローチャートである。
【図５】一実施形態によるプリアンブルパターンを示す図である。
【図６】一実施形態による取得インジケータチャネル（ＡＩＣＨ）構造を示す図である。
【発明を実施するための形態】
【００１１】
以下に言及されるとき、用語「ＷＴＲＵ（無線送受信装置）」には、ＵＥ（ユーザ機器）、移動局、固定または移動加入者装置、ページャ、携帯電話、携帯情報端末（ＰＤＡ）、コンピュータ、あるいは無線環境で動作可能な他の任意のタイプのユーザ装置が含まれるが、それだけに限られない。以下に言及されるとき、用語「基地局」には、Ｎｏｄｅ  Ｂ、サイトコントローラ、アクセスポイント（ＡＰ）、あるいは無線環境で動作可能な他の任意のタイプのインターフェース装置が含まれるが、それだけに限られない。本明細書で言及されるとき、用語「ＡＩＣＨ（取得インジケータチャネル）」には、ＡＩＣＨ、Ｅ−ＡＩＣＨ、または他の任意の取得インジケータタイプのチャネルが含まれるが、それだけに限らない。本明細書に言及されるとき、用語ＭＡＣ（メディアアクセス制御）ＰＤＵ（プロトコルデータユニット）には、ＭＡＣ−ｅ  ＰＤＵ、ＭＡＣ−ｉ  ＰＤＵ、または上位層に渡される他の任意のタイプのＭＡＣレベルＰＤＵが含まれるが、それだけに限られない。
【００１２】
Ｅ−ＲＡＣＨ（拡張ランダムアクセスチャネル）は、Ｅ−ＤＣＨ（拡張個別チャネル）によって提供された機能性のサブセットを使用することができる。図２は、複数のＷＴＲＵ  ２１０と、基地局２２０とを含む無線通信システム２００を示している。図２に示されるように、ＷＴＲＵ  ２１０は、基地局２２０と通信する。図２に３つの（３）ＷＴＲＵ２１０および１つの（１）基地局２２０が示されているが、無線通信システム２００内に任意の組合せの無線および有線装置を含んでよいことに留意されたい。それぞれのＷＴＲＵ  ２１０は、Ｅ−ＲＡＣＨを介して局２２０と通信してよい。
【００１３】
図３は、図２の無線通信システム２００のＷＴＲＵ  ２１０および基地局２２０の機能ブロック図３００である。図２に示されるように、ＷＴＲＵ  ２１０は、基地局２２０と通信する。ＷＴＲＵは、Ｅ−ＲＡＣＨ（拡張ランダムアクセスチャネル）を介して通信するように構成される。
【００１４】
典型的なＷＴＲＵに見られ得るコンポーネントに加えて、ＷＴＲＵ  ２１０は、プロセッサ３１５と、受信機３１６と、送信機３１７と、アンテナ３１８とを含む。プロセッサ３１５は、ＷＴＲＵ２１０がＥ−ＲＡＣＨを介して通信するのに必要なすべての処理を実施するように構成される。受信機３１６は、基地局２２０から信号を受け取るように構成され、送信機３１７は、Ｅ−ＲＡＣＨを介して信号を送信するように構成される。受信機３１６および送信機３１７は、プロセッサ３１５と通信する。アンテナ３１８は、無線データの送受信を円滑に進めるために、受信機３１６と送信機３１７の両方と通信する。
【００１５】
典型的な基地局に見られ得るコンポーネントに加えて、基地局２２０は、プロセッサ３２５と、受信機３２６と、送信機３２７と、アンテナ３２８とを含む。受信機３２６は、Ｅ−ＲＡＣＨを介して信号を受け取るように構成され、送信機３２７は、ＷＴＲＵ  ２１０に信号を送信するように構成される。受信機３２６および送信機３２７は、プロセッサ３２５と通信する。アンテナ３２８は、無線データの送受信を円滑に進めるために、受信機３２６と送信機３２７の両方と通信する。
【００１６】
ＷＴＲＵは、ＲＡＣＨプリアンブルフェーズを送信した後、ＵＭＴＳ地上無線アクセス網（ＵＴＲＡＮ）によって無線伝送するように構成されてよい。一部のパラメータは、固定であり、すべてのＷＴＲＵに共通であるが、一部の無線リソースは、それらのリソースが不足しているため、アクセスが許可されるときに割り当てる必要がある。
【００１７】
たとえばアップリンク（ＵＬ）スクランブリングコード、ダウンリンク（ＤＬ）順方向個別物理チャネル（Ｆ−ＤＰＣＨ）コード、オフセット、スロット形式、ソフトハンドオーバのサポートのためのサービングセルおよび非サービングセルからの拡張相対グラントチャネル（Ｅ−ＲＧＣＨ）、ならびに拡張ハイブリッド自動再送要求（ＨＡＲＱ）インジケータチャネル（Ｅ−ＨＩＣＨ）コードおよびシグネチャ、拡張絶対グラントチャネル（Ｅ−ＡＧＣＨ）コード、拡張無線ネットワーク一時識別子（Ｅ−ＲＮＴＩ）などを含めて様々なリソースが、Ｅ−ＲＡＣＨ伝送フェーズのために割り当てられ得る。
【００１８】
リソースは、ＷＴＲＵとＮｏｄｅ  Ｂの両方で知られている既知のパラメータに関する暗黙の規則に基づいて割り当てることができる。たとえば、拡張物理ランダムアクセスチャネル（Ｅ−ＰＲＡＣＨ）スクランブリングコードインデックス、およびＮｏｄｅ  ＢによってＡＩＣＨ（取得インジケータチャネル）上で肯定応答されたシグネチャ系列が知られていることがあり、１組のパラメータにインデックスを付けるために使用されてよい。同様に、アクセススロット、アクセスクラスおよび他のパラメータを、暗黙の割当てのために使用することができる。
【００１９】
あるいは、Ｅ−ＰＲＡＣＨにつき一度、１つのＥ−ＲＡＣＨメッセージ部の送信が行われ得る。ネットワークは、すべてのＷＴＲＵによって共有可能なＥ−ＲＡＣＨリソースのリストをブロードキャストしてよい。Ｅ−ＲＡＣＨリソースは、たとえば、ブロードキャストチャネル上においてシステム情報ブロック（ＳＩＢ）で、またはＷＴＲＵ構成中に送信される短いリソース割当てテーブルでブロードキャストすることができる。テーブルの各行は、Ｅ−ＲＡＣＨメッセージ部を対応するＥ−ＰＲＡＣＨ上で送信するためにＷＴＲＵによって使用される無線リソースパラメータを含んでよい。ＰＲＡＣＨリソースとＥ−ＲＡＣＨリソースの間に、１対多のマッピングが存在することができる。換言すると、ＰＲＡＣＨは、２組以上のＥ−ＲＡＣＨリソースに関連付けることができるが、逆は許されない。あるいは、ＷＴＲＵは、Ｅ−ＲＡＣＨリソースを選択し、ＰＲＡＣＨ対Ｅ−ＲＡＣＨのマッピングからＰＲＡＣＨを決定することができる。
【００２０】
ＷＴＲＵは、たとえば対応するＡＩＣＨ上のＡＣＫによってなど、Ｅ−ＰＲＡＣＨへのアクセスを得るとき、そのＥ−ＲＡＣＨメッセージ部の送信のためにそれらのリソースを使用することができる。Ｅ−ＰＲＡＣＨリソースが使用中の場合、Ｎｏｄｅ  Ｂは、ＡＩＣＨ上でＮＡＣＫを送って、ＷＴＲＵ上にバックオフ機構をトリガしてよい。
【００２１】
あるいは、リソース割当てのために、より長いルックアップテーブルを使用してもよい。このテーブルは、エントリを明示的に送信する必要がないように、事前定義された規則を使用してデータを取り込むことができる（ｐｏｐｕｌａｔｅ）。テーブルの各行は、Ｅ−ＲＡＣＨメッセージ部の送信に使用されるリソースを含んでよい。
【００２２】
テーブルは使用可能なＥ−ＰＲＡＣＨの最大数より長いことがあるので、他のインデックス付けパラメータを使用してよい。こうしたパラメータには、たとえば、シグネチャ系列インデックス、アクセススロットインデックスおよび時間インデックスが含まれ得る。
【００２３】
ＷＴＲＵは、対応するＡＩＣＨ上のＡＣＫによってＥ−ＰＲＡＣＨへのアクセスを得るとき、テーブル内で対応する行を見ることによってＥ−ＲＡＣＨリソースを決定する。結果として生じるＥ−ＰＲＡＣＨリソースが使用中である場合、Ｎｏｄｅ  Ｂは、ＡＩＣＨ上でＮＡＣＫを送って、ＷＴＲＵ上にバックオフ機構をトリガしてよい。
【００２４】
既存のバックオフ機構は、ＡＩＣＨ上でＮＡＣＫを受け取ったＷＴＲＵに、ＲＡＣＨへのアクセスを再び試みて最初から手順を開始する前にいくらかの時間待つことを強制する。バックオフ機構は、チャネルが再び空き状態になるときに複数のＷＴＲＵがチャネルに同時にアクセスしようとする確率を減少させる。
【００２５】
暗黙の割当てによってインデックス付けされたリソースが使用中であるのでＮｏｄｅ  ＢがＷＴＲＵにＮＡＣＫで応答したとき、他のリソースが空いている可能性が高い。これが生じる確率は、より長いルックアップテーブルでは、さらに高くなる。不必要な遅延を回避するために、ＭＡＣレベルのＲＡＣＨ手順は、バックオフ機構がトリガされる前に、リソース要求の複数の試みを可能にすることができる。
【００２６】
図４はＲＡＣＨ方法４００を示すフローチャートである。ステップ４０１で、第１のプリアンブルフェーズが、ＷＴＲＵによって送信される。ステップ４０２で、Ｎｏｄｅ  Ｂが、信号を受け取る。Ｎｏｄｅ  Ｂは、プリアンブルシグネチャ系列を検出する場合は、ステップ４０４で、ＷＴＲＵによって要求されたリソースが使用可能であればＡＣＫを送信してよい。Ｎｏｄｅ  Ｂは、信号を受け取らない場合は、不連続送信モード（ＤＴＸ）にあり、Ｎｏｄｅ  Ｂは、ＡＣＫまたはＮＡＣＫを送信しない。Ｎｏｄｅ  Ｂは、プリアンブルを検出するが、リソースを割り当てることができない場合は、ステップ４０６で、ＮＡＣＫを送信する。ステップ４０８で、ＷＴＲＵは、第１のＮＡＣＫの後に最大数の試みに達したかどうか判断する。最大値に達する場合は、ステップ４１０で、ＷＴＲＵは、バックオフルーチンを開始する。最大値に達しない場合は、ステップ４１２でインデックスが更新され、ステップ４１４で、ＷＴＲＵは、後続のアクセススロットにおいて、異なるプリアンブルでＲＡＣＨへのアクセスを再び試みる。送信電力は、増加させてもよいし、同じに保ってもよい。ステップ４１６で、Ｎｏｄｅ  Ｂは、プリアンブルの検出を再び試みる。検出され、またリソースが使用可能である場合は、ステップ４１８で、ＡＣＫがＷＴＲＵに送信される。リソースが使用可能でない場合は、Ｎｏｄｅ  Ｂは、ＮＡＣＫを送信し、ステップ４０６で、最大送信数のチェックが繰り返される。Ｎｏｄｅ  Ｂは、プリアンブルを検出しない場合、ＤＴＸモードにあり、ＡＣＫまたはＮＡＣＫを送らず、ステップ４２０で、ＷＴＲＵによって、バックオフ機構をトリガしてよい。ＮＡＣＫの後に続く試みの最大数は、ネットワークによって構成し、または事前定義することができる。
【００２７】
Ｅ−ＤＣＨ送信フェーズに関連するリソースは、明示的に割り当てることができる。割当てメッセージの送信は、Ｅ−ＤＣＨ構成のサブセット含み、残りの構成は、ブロードキャストチャネル上でシグナリングし、または事前構成することができる。割当てメッセージは、重要であり、保護のもと無線リンクを介して送信すべきである。これは、ＷＴＲＵからの肯定応答を必要とすることがある。
【００２８】
割当てメッセージは、高速ダウンリンク共有チャネル（ＨＳ−ＤＳＣＨ）機構を使用して拡張順方向取得チャネル（Ｅ−ＦＡＣＨ）を介して送信してよい。ＷＴＲＵの識別情報は、アクセススロットに対する指定されたタイミングで使用されたプリアンブルシグネチャ系列またはＥ−ＰＲＡＣＨに関連し得る。たとえば、１組の一時的な無線ネットワーク一時識別子（ｔ−ＲＮＴＩ）が、各Ｅ−ＰＲＡＣＨに対応することがあり、セル内のすべてのＷＴＲＵにブロードキャストされ得る。あるいは、ｔ−ＲＮＴＩの暗黙の割当てのための特定の規則を定義してもよい。
【００２９】
ネットワークは、ＲＡＣＨプリアンブルフェーズの後、合理化されたＥ−ＲＡＣＨメッセージ送信フェーズを使用してよい。Ｅ−ＤＣＨ機能性のフルセットを提供するのではなく、これらの機能性のサブセットだけが使用される。縮小された１組の機能性は、システム情報ブロードキャストによってシグナリングし構成することができる。
【００３０】
残りのすべてのパラメータは、システム情報ブロック（ＳＩＢ）によってシグナリングすることができる。これは、たとえば、ＵＬスクランブリングコード、拡張個別物理ダウンリンクチャネル（Ｅ−ＤＰＤＣＨ）構成情報、個別物理制御チャネル（ＤＰＣＣＨ）構成情報、Ｅ−ＲＡＣＨにマップされた論理チャネル用の無線ベアラ情報などを含んでよい。
【００３１】
Ｅ−ＲＡＣＨは、ＩＤＬＥモードで動作し、ＲＲＣ  ＣＯＮＮＥＣＴＩＯＮ  ＲＥＱＵＥＳＴを送り、あるいはＣＥＬＬ  ＵＰＤＡＴＥメッセージを送るためにセル再選択後、ＣＥＬＬ＿ＦＡＣＨ状態で動作するように構成されてよい。
【００３２】
ＷＴＲＵは、プリアンブルにスケジューリング情報を「追加」することができる。これは、ＳＩ（スケジューリング情報）の縮小バージョンとすることができ、バッファステータスおよび使用可能な電力ヘッドルームに関する表示を提供してよい。この情報をシグナリングするのに必要なビット数を減らすために、ＷＴＲＵは、パラメータの両方の粗い推定を使用し、Ｘを整数値として、［Ｘ］ビットでパラメータを符号化できる。
【００３３】
マッピングは、ＳＩとプリアンブルシグネチャ系列の間で構築することができる。ＷＴＲＵによるシグネチャ系列の選択は、計算されたＳＩによって指示することができる。例を挙げると、２ビットのＳＩが使用される場合、１６個のシグネチャ系列（ｓｉｇ＿ｓｅｑ＿０からｓｉｇ＿ｓｅｑ＿１５）は、それぞれが４つの一意のシグネチャ系列を有する４つのグループ（ｓｉｇ＿ｇｒｏｕｐ０からｓｉｇ＿ｇｒｏｕｐ３）に分割できる。ＳＩは、シグネチャグループのうちの１つを選択するために使用されてよく、ＷＴＲＵは、そのグループ内のシーケンスのうちの１つをランダムに選択してよい。シグネチャ系列を復号すると、Ｎｏｄｅ  Ｂは、シーケンス番号を相互参照して、シグネチャグループを、またその結果として、送信されたＳＩを決定することができる。Ｎｏｄｅ  Ｂは、取得表示を送ってよい。ＷＴＲＵの識別情報は、Ｎｏｄｅ  ＢがＲＡＣＨメッセージを復号するときに決定できる。
【００３４】
ＳＩのサイズが１６を超える場合、プリアンブルシグネチャの数は、１６から２k（ただし、ｋ＞４）に増加することができる。あらゆるプリアンブルでシーケンスを２５６回繰り返すのではなく、ＷＴＲＵは、新しいシーケンス（２５６／（２(k-4)）回繰り返してよい。
【００３５】
図５は、ＳＩの位置５００の代替実施形態を示している。ＳＩ  ５０４は、各プリアンブル５０６の終わりに追加できる。プリアンブルは、１６ビットシグネチャ系列５０２の２５６個のコピーを含む。Ｎｏｄｅ  Ｂは、プリアンブル５０６を探索してよい。プリアンブル５０６が検出されるとき、Ｎｏｄｅ  Ｂは、プリアンブル５０６の終わりにＳＩ  ５０４を検出し、取得表示を送ってよい。ＷＴＲＵの識別情報は、トレーラとして追加することもできる。
【００３６】
ＷＴＲＵは、取得表示を受け取った後、同じ送信電力で別のプリアンブルを送ることができる。ＳＩ情報は、シグネチャ系列の符号化を使用してこのプリアンブルに追加することも、トレーラに追加することもできる。
【００３７】
あるいは、第２のシグネチャが、繰返しプリアンブルにおいて、第１と第２のシグネチャ系列間のマッピング規則と共に使用されてよい。マッピング規則は、送信されたＳＩを決定するために、Ｎｏｄｅ  Ｂによって使用することができる。利点として、２つのプリアンブル間の時間オフセットは、ハードコード化され、またはシステム情報ブロードキャストによって構成され、また粗いアップリンク同期を実施するためにＮｏｄｅ  Ｂによって使用されてよい。
【００３８】
ＡＩＣＨまたは類似のチャネルを使用して、グラント情報をＷＴＲＵに伝えることができる。ＲＡＮは、ＷＴＲＵに最大伝送レートを示すためにプリアンブル取得の後に送られる取得表示を利用できる。図６は、一実施形態によるＡＩＣＨ構造６００を示している。ＡＩＣＨ  ６００は、２０ｍｓのＴＴＩにつき、アクセススロットＡＳ＿０（６０２）からＡＳ＿１４（６０４）を含む。ｉを０と１４の間の整数として、それぞれのＡＳ＿ｉ  ６０６は、ＳＦ２５６チャネル符号化を使用して、４０個の実数値信号６０８を含む。ＡＳ＿ｉ  ６０６の最後の１０２４チップ６１０は、８個の実数値グラント、ｇ＿０（６１２）からｇ＿７（６１４）を含む。あるいは、最後の１０２４チップ６１０は、制御情報を含んでよい。
【００３９】
シンボルの事前定義されたシーケンス、たとえばシグネチャ系列は、各制御情報レベルについて定義できる。シンボル系列と制御情報インデックスの間のマッピングは、ＲＡＮ（無線アクセスネットワーク）およびＷＴＲＵにおいて知られ得る。このマッピングは、ＲＡＮによってブロードキャストし、上位層シグナリングによって構成し、または事前構成することができる。
【００４０】
あるいは、ＡＩＣＨスロットの最後の１０２４のチップは、グラント情報のインデックスを含む新しいビットフィールド（たとえば４ビット）として解釈することができ、ただし、ビットフィールドの復号の信頼性を増加させるために、チャネルコーディングを使用することができる。
【００４１】
あるいは、グラント情報は、新しい物理層信号によって送ることができる。
【００４２】
メトリックスまたはパラメータは、初期Ｅ−ＲＡＣＨメッセージ送信のためのグラントとして個々に使用することも、任意の組合せで使用することもできる。こうした１つのパラメータは、最大電力比であり、この最大電力比は、Ｅ−ＤＰＤＣＨとＥ−ＤＰＣＣＨの間の最大電力比、またはＥ−ＤＰＤＣＨとプリアンブル電力間の最大電力比を示す。
【００４３】
最大送信電力を使用することができる。これは、ＷＴＲＵがＥ−ＤＰＤＣＨの送信に使用できる最大の総電力を示し得る。最大合計電力は、絶対値（たとえば２０ｄＢｍ）として決定することも、プリアンブル電力に対する相対電力として決定することもできる。
【００４４】
グラントの値はインデックスにマッピングすることができ、ただし、マッピングは、ＷＴＲＵおよびＵＴＲＡＮによって知られる。マッピングは、システム情報によってブロードキャストすることも、ＷＴＲＵ装置内にハードコード化することもできる。
【００４５】
ＣＥＬＬ＿ＤＣＨ状態にある間、ＷＴＲＵの識別情報は、ＷＴＲＵが個別の接続を有しているので、暗黙的である。他の状態では、アップリンクチャネルは共有され、Ｎｏｄｅ  Ｂは、メッセージ部コンテンツが復号される前にＷＴＲＵを識別する手段をもたない。Ｅ−ＲＡＣＨのコンテキストでは、ＷＴＲＵの識別情報は、Ｎｏｄｅ  Ｂによって、制御およびデータメッセージのダウンリンク送信および衝突検出のために使用できる。
【００４６】
ＷＴＲＵの識別情報は、使用されるＥ−ＰＲＡＣＨチャネルに関連付けることができる。したがって、それぞれのＥ−ＰＲＡＣＨの識別情報は、Ｎｏｄｅ  Ｂによって、ブロードキャストチャネル上で割当てテーブルの一部としてシグナリングすることができる。識別情報をＥ−ＰＲＡＣＨにリンクすることは、ＷＴＲＵが、ネットワークから割り当てられたリソースまたは識別情報をもたないアイドルモードにおいて特に有用であり得る。
【００４７】
あるいは、ＷＴＲＵ  ＲＮＴＩは、Ｅ−ＰＲＡＣＨに直接リンクされなくてよい。ＷＴＲＵは、既にＣＥＬＬ＿ＦＡＣＨ状態である場合、そのＥ−ＲＮＴＩを保持してよい。この識別情報は、Ｅ−ＲＡＣＨおよび関連する制御チャネル上の無線伝送用に維持することができる。ＷＴＲＵは、アイドルモードにある場合など、ネットワークによってまだＲＮＴＩが割り当てられていない場合、ランダムな識別情報を生成してよく、この識別情報は、第１の無線アクセスにおいてＥ−ＲＡＣＨメッセージ部でネットワークにシグナリングされる。たとえば、ランダムに生成された識別情報は、ＭＡＣ−ｅ（メディアアクセス制御）ＰＤＵ（プロトコルデータユニット）の一部として含まれ得る。識別情報が別のＷＴＲＵによって既に使用されている場合、Ｎｏｄｅ  Ｂは、Ｅ−ＲＡＣＨメッセージ部送信の終了を強制してよい。
【００４８】
あるいは、ＷＴＲＵは、ネットワークによってまだＲＮＴＩが割り当てられていない場合、その国際移動加入者識別（ＩＭＳＩ）または別の一意の識別子に基づいて識別情報を生成してよい。
【００４９】
実施形態
１．無線送受信装置（ＷＴＲＵ）にリソースを割り当てる方法であって、シグネチャ系列を送信するステップと、シグネチャ系列に応答して肯定応答信号を受け取るステップと、デフォルトのリソースインデックスを決定するステップとを含み、リソースインデックスは、拡張個別チャネル（Ｅ−ＤＣＨ）パラメータに関連付けられる、方法。
２．無線送受信装置（ＷＴＲＵ）にリソースを割り当てる方法であって、ブロードキャストチャネルを介してリソースのリストを受け取るステップを含み、リソースのリストはリソース割当てテーブルを含む、方法。
３．リソースのリストは拡張個別チャネル（Ｅ−ＤＣＨ）パラメータを含む実施形態２に記載の方法。
４．リソース割当てテーブルは、それぞれが複数の無線リソースパラメータを含む複数の行を含む実施形態２または３に記載の方法。
５．割当てメッセージは、行を指すインデックスを含む実施形態２〜４のいずれか１つに記載の方法。
６．リソース割当てのバランスは複数の無線リソースパラメータを含む実施形態２〜５のいずれか１つに記載の方法。
７．無線送受信装置（ＷＴＲＵ）にリソースを割り当てる方法であって、リソース割当て構成のサブセットを含む割当てメッセージを受け取るステップと、ブロードキャストチャネルのリソース割当て構成のバランスを受け取るステップとを含む方法。
８．Ｎｏｄｅ  Ｂによって無線送受信装置（ＷＴＲＵ）にリソースを割り当てる方法であって、Ｎｏｄｅ  Ｂがプリアンブルシグネチャ系列を検出するステップと、Ｎｏｄｅ  Ｂが、割り当てられたリソースが空いているかどうか判断するステップと、Ｎｏｄｅ  Ｂが通信チャネル上でシグナリングするステップとを含む方法。
９．Ｎｏｄｅ  Ｂが肯定応答（ＡＣＫ）信号をシグナリングするステップをさらに含む実施形態８に記載の方法。
１０．Ｎｏｄｅ  Ｂが否定応答（ＮＡＣＫ）信号をシグナリングするステップをさらに含む実施形態８または９に記載の方法。
１１．無線送受信装置（ＷＴＲＵ）にリソースを割り当てる方法であって、シグネチャ系列を送信するステップと、肯定応答（ＡＣＫ）信号を受け取るステップとを含む方法。
１２．シグネチャ系列に基づいてリソースパラメータのセットにインデックスを付けるステップをさらに含む実施形態１１に記載の方法。
１３．スクランブリングコードインデックスに基づいてリソースパラメータのセットにインデックスを付けるステップをさらに含む実施形態１１または１２に記載の方法。
１４．ＷＴＲＵが、リソースパラメータのセットにインデックスを付けるためにアクセススロットおよびアクセスクラスを使用するステップをさらに含む実施形態１１〜１３のいずれか１つに記載の方法。
１５．シグネチャ系列を送信するように構成された送信機を含む無線送受信装置（ＷＴＲＵ）であって、シグネチャ系列を送信するように構成された送信機と、シグネチャ系列に応答してＡＣＫ（肯定応答）信号を受け取るように構成された受信機と、シグネチャ系列を決定し、ＡＣＫ信号を処理し、デフォルトのリソースインデックスを決定するように構成されたプロセッサであって、リソースインデックスは拡張個別チャネル（Ｅ−ＤＣＨ）パラメータに関連付けられる、プロセッサとを含むＷＴＲＵ。
１６．ブロードキャストチャネルを介してリソースのリストを受け取るように構成された受信機と、ブロードキャストチャネルからリソース割当てテーブルを決定するように構成されたプロセッサとを含む無線送受信装置（ＷＴＲＵ）。
１７．リソース割当てテーブルは、それぞれが複数の無線リソースパラメータを含む複数の行を含む実施形態１６に記載のＷＴＲＵ。
１８．プロセッサは、無線リソースを選択し、Ｅ−ＤＣＨのＥ−ＲＡＣＨに対するマッピングに基づいて、共有される拡張個別チャネル（Ｅ−ＤＣＨ）リソースを決定するようにさらに構成される実施形態１６または１７に記載のＷＴＲＵ。
１９．割当てメッセージを受け取るように構成された受信機であって、割当てメッセージはリソース割当て構成のサブセットと、ブロードキャストチャネル内のリソース割当て構成のバランスとを含む、受信機と、割当てメッセージおよびリソース割当て構成のバランスに基づいてリソース割当てを決定するように構成されたプロセッサとを含む無線送受信装置（ＷＴＲＵ）。
２０．シグネチャ系列を送信するように構成された送信機と、ＡＣＫ（肯定応答）信号を受け取るように構成された受信機とを含む無線送受信装置（ＷＴＲＵ）。
２１．シグネチャ系列に基づいてリソースパラメータのセットにインデックスを付けるように構成されたプロセッサをさらに含む実施形態２０に記載のＷＴＲＵ。
２２．スクランブリングコードインデックスに基づいてリソースパラメータのセットにインデックスを付けるように構成されたプロセッサをさらに含む実施形態２０または２１に記載のＷＴＲＵ。
２３．プロセッサは、リソースパラメータのセットにインデックスを付けるためにアクセススロットおよびアクセスクラスを使用するようにさらに構成される実施形態２０〜２２のいずれか１つに記載のＷＴＲＵ。
【００５０】
機能および要素について、本明細書では特定の組合せで述べられているが、それぞれの特徴または要素は、他の特徴および要素なしに単独に使用することも、他の特徴および要素を伴うまたは伴わない様々な組合せで使用することもできる。本明細書に示された諸方法またはフローチャートは、汎用コンピュータまたはプロセッサによって実行するためにコンピュータ読取り可能記憶媒体内に有形に具現化されたコンピュータプログラム、ソフトウェアまたはファームウェアで実施することができる。コンピュータ読取り可能記憶媒体の例には、読取り専用メモリ（ＲＯＭ）、ランダムアクセスメモリ（ＲＡＭ）、レジスタ、キャッシュメモリ、半導体記憶装置、内部ハードディスクおよび取外し可能ディスクなどの磁気媒体、磁気光媒体、ならびにＣＤ−ＲＯＭディスクおよびデジタル多用途ディスク（ＤＶＤ）などの光媒体が含まれる。
【００５１】
適切なプロセッサには、例を挙げると、汎用プロセッサ、特定目的プロセッサ、従来型プロセッサ、ＤＳＰ（デジタル信号プロセッサ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）および／またはステートマシンが含まれる。
【００５２】
ＷＴＲＵ（無線送受信装置）、ＵＥ（ユーザ装置）、端末、基地局、ＲＮＣ（無線ネットワーク制御装置）または任意のホストコンピュータで使用する無線周波数トランシーバを実装するために、ソフトウェアに関連するプロセッサを使用することができる。ＷＴＲＵは、カメラ、ビデオカメラモジュール、テレビ電話、スピーカフォン、振動装置、スピーカ、マイクロホン、テレビトランシーバ、ハンズフリーヘッドセット、キーボード、Ｂｌｕｅｔｏｏｔｈ（登録商標）モジュール、周波数変調（ＦＭ）ラジオ装置、液晶ディスプレイ（ＬＣＤ）表示装置、有機発光ダイオード（ＯＬＥＤ）表示装置、デジタル音楽プレーヤー、メディアプレーヤー、ビデオゲームプレーヤーモジュール、インターネットブラウザ、および／または任意の無線ローカルエリアネットワーク（ＷＬＡＮ）など、ハードウェアおよび／またはソフトウェアで実装されたモジュールと共に使用することができる。
【図１】
0005462172.tif 000002
【図２】
0005462172.tif 000003
【図３】
0005462172.tif 000004
【図４】
0005462172.tif 000005
【図５】
0005462172.tif 000006
【図６】
0005462172.tif 000007